(57)【要約】【課題】  ファイナライズ処理中の電池切れにより記録再生不能なディスクになるのを防止し、パディング処理をキャンセル可能にする。【解決手段】  電源管理部（３８）は、電池で駆動されているか、外部ＡＣ電源で駆動されているかを検知する。ファイナライズ処理において、ディスク制御部（３２）は、電池で駆動される場合に、記録媒体（３４）のディスク管理情報及び動画像管理情報をまず記録し、その後、未記録領域にダミーデータを記録する第１のパディング処理を実行する。ディスク制御部（３２）は、外部ＡＣ電源で駆動される場合に、外部電源で駆動される場合に、記録媒体（３４）にパディング処理を実行し、その後、ディスク管理情報及び動画像管理情報を記録する。【選択図】  図１
2009238338.tif 000002
【特許請求の範囲】
【請求項１】
光ディスクに動画像を記録する記録装置であって、
電源が電池か外部電源かを検知する電源検知手段と、
前記電池で駆動される場合に、前記光ディスクのディスク管理情報及び動画像管理情報を記録する管理情報記録処理と、前記管理情報記録処理の後の、未記録領域にダミーデータを記録するパディング処理とからなる処理手順で前記光ディスクをファイナライズし、前記外部電源で駆動される場合に、前記光ディスクの未記録領域にダミーデータを記録するパディング処理と、前記パディング処理の後の、前記光ディスクのディスク管理情報及び動画像管理情報を記録する管理情報記録処理とからなる処理手順で前記光ディスクをファイナライズするファイナライズ手段
とを有することを特徴とする記録装置。
【請求項２】
更に、前記パディング処理の途中に、ユーザの停止指示に従い、前記ダミーデータの記録を中断する手段を具備することを特徴とする請求項１に記載の記録装置。
【請求項３】
前記光ディスクが追記型光記録媒体であることを特徴とする請求項１又は２に記載の記録装置。
【発明の詳細な説明】
【技術分野】
【０００１】
本発明は、データを追記録可能な光記録媒体を使用する記録装置に関する。
【背景技術】
【０００２】
ＤＶＤ（Digital Versatile Disc）には、データの記録が可能なものとして、ＤＶＤ−Ｒ（DVD Recordable）及びやその二層ディスク（ＤＬ：Dual Layer）が存在する。ＤＶＤ−ＲにＤＶＤ−Ｖｉｄｅｏフォーマットに準拠して動画像を記録すると、ＤＶＤ再生装置での再生互換性が高くなると言われている。なお、コンピュータ等で再生できるようにするためには、ＤＶＤ−Ｒ／−Ｒ  ＤＬにユニバーサルディスクフォーマット（ＵＤＦ：Universal Disk Format）規格でデータを記録する必要がある。
【０００３】
光ディスクに動画を書き込む記録方式として、Ｉｎｃｒｅｍｅｎｔａｌ  Ｒｅｃｏｒｄｉｎｇ方式（以下、ＩＮＣ方式という）がある（特許文献１参照）。ＩＮＣ方式は主にＤＶＤ−Ｒに採用されており、シーケンシャルに動画を記録する追記録方式である。ＩＮＣ方式では、リードインよりも内周側に設けられたＲＭＡ（Recording Management Area）に、記録領域の予約と次に記録するアドレスなどの、光ディスク全体の記録管理情報が保持される。
【０００４】
ＩＮＣ方式では、再生専用光ディスクとの互換性を確保するためにファイナライズ処理が必要とされる。ファイナライズ処理では、パディングライト、各タイトルの管理情報からＶＭＧの作成、並びに、リードイン及びリードアウト等の記録が行われる。パディングライトは、未記録領域にダミーデータを書き込む処理であり、物理層レベルで再生互換性を維持するために必要される。−Ｒディスクの場合、中心から７０ｍｍまでの範囲に記録が無いとき、記録の必要な部分にダミーデータを記録する。−Ｒ  ＤＬの場合、二層目の終端までの範囲に記録が無いとき、ディスク終端までダミーデータを記録する。このパディングライト処理は、未記録領域が多い場合、非常に長い時間を要することになる。
【０００５】
特許文献２には、パディングライト処理の適用範囲を選択可能としたり、書き込み速度又は書き込みパワーを制御することで、ファイナライズ処理時間を短縮することが提案されている。
【特許文献１】特開２００４−０２２０４３号公報
【特許文献２】特開２００４−３２６９３４号公報
【発明の開示】
【発明が解決しようとする課題】
【０００６】
ビデオカメラのようなポータブル機器で電池動作するシステムの場合、ファイナライズ処理の途中で電池残量がなくなる可能性がある。上述の通り、未記録領域が多い場合には、非常に長時間の処理が必要になるからである。
【０００７】
ファイナライズ処理中に電池残量がなくなってしまった場合、ディスクへの記録が完了しないまま電源が落ちてしまうことになる。そうなると、その光ディスクは、中途半端な状態になっており、以降の記録再生を保障する事ができなくなる。
【０００８】
本発明は、このような不都合を回避し、電源に応じた適切なファイナライズ処理を実施する記録装置を提示することを目的とする。
【課題を解決するための手段】
【０００９】
本発に係る記録装置は、光ディスクに動画像を記録する記録装置であって、電源が電池か外部電源かを検知する電源検知手段と、前記電池で駆動される場合に、前記光ディスクのディスク管理情報及び動画像管理情報を記録する管理情報記録処理と、前記管理情報記録処理の後の、未記録領域にダミーデータを記録するパディング処理とからなる処理手順で前記光ディスクをファイナライズし、前記外部電源で駆動される場合に、前記光ディスクの未記録領域にダミーデータを記録するパディング処理と、前記パディング処理の後の、前記光ディスクのディスク管理情報及び動画像管理情報を記録する管理情報記録処理とからなる処理手順で前記光ディスクをファイナライズするファイナライズ手段とを有することを特徴とする。
【発明の効果】
【００１０】
本発明によれば、電池駆動されているときには、パディング処理に先行して管理情報を記録するので、電池切れにより記録再生不能なディスクになるのを防止できる。また、外部電源で駆動されている場合には、パディング処理を管理情報記録処理に先行して実行するので、パディング処理をキャンセルしても、動画像の追記が可能である。
【発明を実施するための最良の形態】
【００１１】
以下、図面を参照して、本発明の実施例を詳細に説明する。
【実施例１】
【００１２】
図１は、本発明に係る記録装置の一実施例であるビデオカメラの概略構成ブロック図を示す。
【００１３】
制御部１０は、フラッシュメモリ１２に記憶されるプログラムに従い、ビデオカメラ全体を制御する。撮影レンズ１４は、焦点距離及び絞りを変更可能であり、被写体の光学像を撮像素子１６に入射する。撮像素子１６は、ＣＣＤ（Charge Coupled Device）型又ＣＭＯＳ（Complementary Metal Oxide Semiconductor）型の素子からなり、撮影レンズ１４による光学像を画像信号に変換する。信号処理部１８は、撮像素子１６からの画像信号にホワイトバランス及びガンマ補正等の所定の信号処理を行い、画像データとしてメモリ２０に格納する。
【００１４】
本実施例では、動画像は、ＭＰＥＧ２（Moving Picture Expert Group）で圧縮符号化し、静止画像は、ＪＰＥＧ（Joint Photographic Experts Group）方式で圧縮符号化する。ＭＰＥＧ２符号化復号化部２２は、メモリ２０に一定周期で格納される画像データ（動画像データ）を圧縮符号化してＭＰＥＧ２データをメモリ２０に格納する。ＭＰＥＧ２符号化復号化部２２はまた、メモリ２０のＭＰＥＧ２データを復号化する。ＪＰＥＧ符号化復号化部２４は、メモリ２０に格納される１画面の画像データ（静止画像データ）を圧縮符号化してメモリ２０にＪＰＥＧデータを格納する。ＪＰＥＧ符号化復号化部２４はまた、メモリ２０のＪＰＥＧデータを復号化する。ＪＰＥＧ符号化復号化部２４は、サムネイルデータの符号化／復号化にも使用される。
【００１５】
マイク２６は、周囲の音を取り込み、音声信号を出力する音声入力手段である。スピーカ２８は、音声信号を音として出力する音声出力手段である。音声信号符号化復号化部３０は、マイク２６からの音声信号を所定の符号化方式で符号化してメモリ２０に符号化音声データを格納し、メモリ２０の符号化音声データを復号化してスピーカ２８に供給する。音声の符号化方式として、本実施例では、ＡＣ３（Ａｕｄｉｏ  Ｃｏｄｅ  Ｎｕｍｂｅｒ  ３）を用いる。
【００１６】
ディスク制御部３２は、追記型光記録媒体であるＤＶＤ−Ｒディスクである記録媒体３４にデータを読み書きする。ディスク制御部３２は、メモリ２０のＭＰＥＧ２データと音声データを多重化してストリームデータを生成する多重機能を具備する。生成されたストリームデータは、ファイルとして、記録媒体３４に書き込まれる。ディスク制御部３２はまた、記録媒体３４からストリームデータを読み出し、ＭＰＥＧ２データと音声データに分離する分離機能を具備し、分離されたＭＰＥＧ２データと音声データはメモリ２０に格納される。ディスク制御部３２はまた、ＪＰＥＧデータ及び管理データファイルを記録媒体３４に読み書きできる。
【００１７】
本実施例では、記録媒体３４はＤＶＤ−Ｒディスクであり、そのファイルシステムとして、ＵＤＦ（Universal Disk Format）を使用する。
【００１８】
表示部３６は、静止画、動画、並びに各種のメニュー及び操作画面を表示する。表示部３６は、撮影時にはビューファインダとしても機能し、再生時には、再生画像を表示する。
【００１９】
電源管理部３８は、本侍史例のビデオカメラがバッテリで駆動されているのか、外部のＡＣ電源で駆動されているのかを判別検知する。バッテリの場合、電源管理部３８は、バッテリ残量を検知する。すなわち、電源管理部３８は、電源検知手段として機能する。
【００２０】
制御部１０は、データバス４０を介して各機能ブロックを制御する。データバス４０は、メモリ２０と各機能ブロック間のデータ転送等にも使用される。
【００２１】
図２を参照して、ＤＶＤ−Ｖｉｄｅｏフォーマットの概要を説明する。図２は、ＤＶＤ−Ｖｉｄｅｏフォーマットに準拠した論理フォーマットであるＤＶＤ−Ｖｉｄｅｏ  Ｆｏｒｍａｔ  Ｒｅｃｏｒｄｉｎｇ方式のデータ構造の概要を示す。ＤＶＤ−Ｖｉｄｅｏフォーマットに対応したディスクには、図２に模式的に帯状で図示したように、先頭側である最内周に情報の記録開始を示すリードイン（Lead in）領域５０があり、最外周には、リードアウト（Lead out）領域５２がある。リードイン領域５０とリードアウト領域５２の間がデータゾーン（Data Zone）であり、ここにユーザデータが記録される。
【００２２】
データゾーンは、リードイン領域側から、ＵＤＦ（Universal Disk Format）領域５４、ＶＭＧ（Video Manager）領域５６、及びＶＴＳ（Video Title Set）領域５８に区分される。ＵＤＦ領域５４は、ＵＤＦブリッジ構成を記述するファイルシステムエリアであり、ディスク管理情報が記録される。ＶＭＧ領域５６には、ＤＶＤ管理情報（動画像管理情報）が記録される。ＶＴＳ領域５８には、ビデオデータが記録される。
【００２３】
ＵＤＦ領域５４及びＶＭＧ領域５６は、ＶＴＳ領域５８に記録されたビデオデータを管理する情報を記録する領域である。ＶＭＧ領域５６は、ＤＶＤ−Ｖｉｄｅｏフォーマットに固有の再生管理システムに対応する領域であり、ＶＴＳ領域５８に記録されたビデオデータ全体を再生管理する情報が記録される。ＵＤＦ領域５４は、コンピュータ等で使用されるファイルシステムに対応する領域であり、ＶＭＧ領域５６に記録された再生管理情報及びＶＴＳ領域５８に記録されたビデオデータ全体を管理する情報が記録される。これにより、後述のＶＭＧＩ、ＶＴＳＩ及びＶＴＳＩＴ＿ＶＯＢＳ等のデータが、それぞれファイルとして管理される。
【００２４】
ＶＭＧ５６は、図２に示すように、ＶＭＧＩ５６ａ、ＶＭＧＭ＿ＶＯＢＳ５６ｂ、及びバックアップ用のＶＭＧＩ＿ＢＵＰ５６ｃからなる。ＶＭＧＩはVideo Manager Informationを意味する。ＶＭＧＭ＿ＶＯＢＳは、Video Object Set for Video Manager Menuを意味する。ＶＭＧＩ＿ＢＵＰはBackup of VMGIを意味する。
【００２５】
ＶＭＧＩは、ＤＶＤビデオゾーン全体についての制御情報である。ＶＭＧＭ＿ＶＯＢＳは、タイトル選択メニューのためのビデオ情報である。ＶＭＧＩ＿ＢＵＰは、ＶＭＧＩのコピーである。
【００２６】
ＶＴＳ５８は、図２に示すように、ＶＴＳＩ５８ａ、ＶＴＳＴＴ＿ＶＯＢＳ５８ｂ、及びＶＴＳＩのバックアップ用のＶＴＳＩ＿ＢＵＰ５８ｃからなる。ＶＴＳＩはVideo Title Set Informationを意味する。ＶＴＳＴＴ＿ＶＯＢＳはVideo Object Set for Titles in a VTSを意味する。ＶＴＳＩ＿ＢＵＰはBackup of VTSIを意味する。
【００２７】
ＶＴＳＩ５８ａには、それぞれのＶＴＳの制御情報が格納されている。ＶＴＳＴＴ＿ＶＯＢＳ５８ｂには、実データであるＭＰＥＧ２フォーマットによるビデオデータが所定量ごとのパケット化されて格納されている。ＶＴＳＩ＿ＢＵＰ５８ｃは、ＶＴＳＩ５８ａのバックアップ用のデータ、即ち、ＶＴＳＩ５８ａのコピーである。
【００２８】
上述したデータ構造を有するディスクにコンピュータ等でアクセスする場合、ＵＤＦ領域５４により所望するファイルを検索して再生できる。ＤＶＤ再生装置により再生する場合には、ＵＤＦ領域５４によりＶＭＧ領域５６の先頭を検索し、ＶＭＧ領域５６の情報により所望のタイトルを検索して再生できる。
【００２９】
既に広く普及しているＤＶＤ再生専用機は、上記の構造を満たしている光ディスクを正しく再生できる。ＤＶＤ−Ｒ／ＤＶＤ−ＲＷ等の追記や上書き可能なメディアに対して、上記構造を構築できるような手順でビデオデータを記録することで、再生専用機でも再生可能となる。ただし、記録途中では、上記構造が構築可能な形（中間状態）で記録を行う。そして、記録の最後（もはや追記又は上書きをしない段階）で、ファイナライズ処理により、ＤＶＤ−Ｖｉｄｅｏフォーマットに一致させた構造を生成する。
【００３０】
図３は、ＩＮＣ方式によりディスク上にビデオデータが記録される過程を説明する模式図である。ＩＮＣ方式では、一度に書き込みを開始できるエリアは最大３つまでと定義されている。ただし、−Ｒ  ＤＬの場合は、最大４つである。このエリアをそれぞれＲｚｏｎｅと呼び、各ＲｚｏｎｅをＲＭＡで管理する。
【００３１】
図３（Ａ）に示すように、ディスクより取得したＲＭＡの情報を更新することによりＲｚｏｎｅ１領域６０を予約する。さらに、ＲＭＡの情報を更新することにより、Ｒｚｏｎｅ２領域６２及びＩｎｖｉｓｉｂｌｅ  Ｒｚｏｎｅ領域６４を予約する。実データである動画像データを順次、Ｉｎｖｉｓｉｂｌｅ  Ｒｚｏｎｅ領域６４に記録し、ＶＴＳＴＴ＿ＶＯＢＳ６６を生成する。Ｒｚｏｎｅ１領域６０は、ＵＤＦとＶＭＧを記録するために確保されたエリアである。この領域６０に記録すべき情報は、１つ以上のＶＴＳで構成される全ての動画像データが記録されるまで確定しないので、ファイナライズ処理の際に記録が行われる。Ｒｚｏｎｅ２領域６２は、ＶＴＳのＶＴＳＩを記録するために確保されたエリアである。ＶＴＳＴＴ＿ＶＯＢＳの記録が完了するまでＶＴＳＩの内容が確定しないので、ＶＴＳＴＴ＿ＶＯＢＳの記録後に、Ｒｚｏｎｅ２領域６２にＶＴＳＩが記録される。
【００３２】
ＶＴＳ＃１の記録手順を説明する。ＩＮＣ方式では、Ｉｎｖｉｓｉｂｌｅ  Ｒｚｏｎｅ領域６４の先頭側から順次、動画像データを記録することにより、ＶＴＳＴＴ＿ＶＯＢＳ６６を形成していく。その後、ユーザの指示により、１つのＶＴＳについて動画像データの記録が完了すると、ＶＴＳＩデータを作成する。そして、図３（Ｃ）に示すように、ＶＴＳＩのコピーを動画像データの記録に続いてＶＴＳＩ＿ＢＵＰ６８として記録し、Ｒｚｏｎｅ２領域６２にＶＴＳＩ７０を記録し、Ｒｚｏｎｅ２領域を閉じる。ＶＴＳＩ＿ＢＵＰ６８に続いて、ファイナライズ時にＶＭＧを作成するために必要となる情報をＴＭＰ＿ＩＮＦ７２として記録する。同様に、ファイナライズ時にＵＤＦを作成するために必要となる情報をＴＭＰ＿ＵＤＦ７４として記録し、Ｉｎｖｉｓｉｂｌｅ  Ｒｚｏｎｅをクローズする。Ｒｚｏｎｅの状態が変更しているので、Ｒｚｏｎｅ情報を記録しているＲＭＡの情報も更新する。
【００３３】
ＴＭＰ＿ＩＮＦ及びＴＭＰ＿ＵＤＦは、ファイナライズ前の中間状態にあるディスクの記録状況を知るために重要な情報である。中間状態のディスクが装着された場合には、ＲＭＡのデータにより、Ｒｚｏｎｅ情報を取得し、最外周の閉じたＲｚｏｎｅの末尾に記録されているＴＭＰ＿ＩＮＦ及びＴＭＰ＿ＵＤＦを読み出す。これにより、記録済み動画像データの再生と、動画像データの追加記録が可能になる。
【００３４】
次のＶＴＳ＃２を記録する場合、ＩＮＣ方式では、ＲＭＡの情報を更新して、図３（Ｄ）に示すように、残りの未記録領域に、ＶＴＳＩのためのＲｚｏｎｅ３領域７６を予約して、Ｉｎｖｉｓｉｂｌｅ  Ｒｚｏｎｅを定義する。続いて、図３（Ｅ）に示すように、動画像データの記録によりＶＴＳＴＴ＿ＶＯＢＳ７８を形成した後、ＶＴＳＩ＿ＢＵＰ８０を記録し、Ｒｚｏｎｅ３領域７６にＶＴＳＩ８２を記録する。これにより、ＶＴＳ＃２の記録が完了する。
【００３５】
ＩＮＣ方式では、引き続きＶＴＳを記録する場合、図３Ｆに示すように、同様に未記録領域を定義して、順次、ＶＴＳが記録される。
【００３６】
このようしてＩＮＣ方式でＶＴＳが順次記録された光ディスクも、ＤＶＤ−Ｖｉｄｅｏフォーマットに対応する再生装置で再生可能にするには、図３（Ｇ）に示すフォーマットに変換する必要がある。その変換処理が、いわば、ファイナライズ処理である。
【００３７】
本実施例におけるファイナライズ処理を説明する。図４は、ファイナライズ処理時における本実施例の動作フローチャートを示す。本実施例では、電源の種類に応じて、ファイナライズ処理内容を変更する。即ち、電源としてバッテリで使用しているのかＡＣ電源を使用しているかを判別する（Ｓ１）。バッテリ駆動中には、ファイナライズ処理１を実行し（Ｓ２）、ＡＣ電源駆動中には、ファイナライズ処理２を実行する（Ｓ３）。
【００３８】
図５は、ファイナライズ処理１（Ｓ２）の詳細なフローチャートを示す。ファイナライズ処理１では、ＶＭＧを作成し（Ｓ１１）、ＵＤＦを作成する（Ｓ１２）。そして、ＵＤＦ／ＶＭＧを先に説明したＲｚｏｎｅ１領域に記録し、Ｒｚｏｎｅ１領域をクローズする（Ｓ１３）。その後、Ｉｎｖｉｓｉｂｌｅ  Ｒｚｏｎｅにおいて、必要量のパディングライトを実行する（Ｓ１４）。さらに、ディスクをクローズするために、最外周にリードアウト（ＬｅａｄＯｕｔ）、最内周にリードイン（ＬｅａｄＩｎ）を記録する（Ｓ１５）。これで、ファイナライズを完了する。
【００３９】
バッテリ駆動の場合、可能な限り早い段階でＵＤＦ／ＶＭＧ、すなわち、ディスク管理情報と動画像管理情報を記録媒体３４に記録する管理情報記録処理（Ｓ１３）を実施する。これにより、ＵＤＦ／ＶＭＧ記録中に電力不足で記録が停止する事態を回避する。ＵＤＦ／ＶＭＧの記録を開始した時点で、ＵＤＦ／ＶＭＧの記録位置は変更不可となる。万が一、ＵＤＦ／ＶＭＧの記録中に記録停止が発生すると、別の位置に再記録する事もできず、ＤＶＤ−Ｖｉｄｅｏ  Ｒｅｃｏｒｄｉｎｇフォーマットを完成できなくなってしまうからである。
【００４０】
図６は、ファイナライズ処理２（Ｓ３）のの詳細なフローチャートを示す。ファイナライズ処理２では、ＶＭＧを作成し（Ｓ２１）、その後、パディングライトを実行する（Ｓ２２）。パディングライト後に、ＵＤＦを作成し（Ｓ２３）、ＵＤＦ／ＶＭＧをＲｚｏｎｅ１領域に記録し（Ｓ２４）、リードアウト（ＬｅａｄＯｕｔ）とリードイン（ＬｅａｄＩｎ）を記録する（Ｓ２５）。これでファイナライズ処理が完了する。ＡＣ駆動中の場合に、パディングライト処理をＵＤＦ／ＶＭＧの記録処理（管理情報記録処理）よりも前に実行する理由は後述する。
【００４１】
パディングライト処理は、先にも説明したたように、−Ｒの場合には半径７０ｍｍ以内の領域、−Ｒ  ＤＬの場合にはディスク終端までの領域において、未記録の領域を無くす処理である。具体的には、それらの未記録領域にダミーデータを記録して、記録済み領域に変更する。記録状況によってパディング量は異なる。未記録領域が多い場合には、より多くのパディングが必要になる。特に−Ｒ  ＤＬディスクの場合にはディスク終端まで記録済みにする必要があるので、パディングに要する時間が非常に長くなる可能性がある。
【００４２】
このように、パディングライト処理には時間がかかる可能性があるので、本実施例では、ユーザの指示により処理を中断できるようにした。停止できるよう構成している（図６）。図７は、その動作フローチャートを示す。
【００４３】
必要なパディング量を算出する（Ｓ３１）。一定量のデータ（パディング単位サイズ：ここでは３２ＭＢとする）をパディングの単位とし、パディング量がパディング単位サイズを超えるかどうかを調べる（Ｓ３２）。
【００４４】
パディング量がパディング単位サイズを超える場合（Ｓ３２）、パディング単位サイズ分のパディングを実行し（Ｓ３３）、ユーザからの停止指示がないかどうかを確認する（Ｓ３４）。停止指示があれば（Ｓ３４）、その時点で、パディングを終了する。停止指示が無ければ（Ｓ３４）、残りパディング量を算出して（Ｓ３１）、残りパディング量がパディング単位サイズを超えるかどうかを調べる（Ｓ３２）。
【００４５】
パディング量がパディング単位サイズを超えない場合（Ｓ３２）、残った未記録部分に対してパディング処理を実行する（Ｓ３５）。
【００４６】
パディング単位サイズ分のパディングを実行した後、実行前のパディング量からパディング単位サイズを減算することで、残りパディング量を算出できる。この場合には、停止指示が無い場合（Ｓ３４）、ステップＳ３２に戻れば良い。
【００４７】
ユーザの指示によりパディングライト処理が中断した場合、そのディスクに対して次に実行可能な処理は、ファイナライズ処理手順の方式（ファイナライズ処理１／ファイナライズ処理２）によって異なる。
【００４８】
ファイナライズ処理１では、ユーザ指示によりパディングライトが中断された場合でも、そのディスクに対して既にＵＤＦ／ＶＭＧが記録済みである。従って、ＶＴＳを追加することはできない。パディング処理を再開し、ファイナライズを続行する必要がある。つまり、ユーザの停止指示は、ファイナライズの「中断指示」に相当する。
【００４９】
一方、ファイナライズ処理２では、パディングライトが中断された場合、ＵＤＦ／ＶＭＧが未記録の状態にあるので、ＶＴＳの追加、すなわち動画像データの追記が可能である。つまり、ユーザの停止指示は、ファイナライズの「キャンセル指示」に相当する。ファイナライズ処理は、動画像データの追記後に、再開可能である。この点が、ＡＣ駆動中にファイナライズ処理２を実行する利点であり、本実施例で、ファイナライズ処理１とファイナライズ処理２を設けた理由である。
【００５０】
以上、説明したとおり、本実施例によれば、外部電源接続時には、ファイナライズ処理をキャンセル可能なシーケンスで実行するので、ファイナライズ処理中に追加で撮影が必要になっても、対応可能である。即ち、ファイナライズ処理をキャンセルし、追加で撮影記録することが可能となる。またバッテリ駆動時には、ファイナライズ処理で管理情報記録処理を先行することで、電池切れにより記録再生不能なディスクになるのを防止できる。
【図面の簡単な説明】
【００５１】
【図１】本発明の一実施例の概略構成ブロック図である。
【図２】ＤＶＤ−Ｖｉｄｅｏフォーマットの説明図である。
【図３】ＤＶＤ−Ｖｉｄｅｏフォーマットの記録手順を示す模式図である。
【図４】本実施例のファイナライズ処理のメインフローである。
【図５】ファイナライズ処理１の詳細なフローチャートである。
【図６】ファイナライズ処理２の詳細なフローチャートである。
【図７】パディング処理のフローチャートである。
【符号の説明】
【００５２】
１０  制御部
１２  フラッシュメモリ
１４  撮影レンズ
１６  撮像素子
１８  信号処理部
２０  メモリ
２２  ＭＰＥＧ２符号化復号化部
２４  ＪＰＥＧ符号化復号化部
２６  マイク
２８  スピーカ
３０  音声符号化復号化部
３２  ディスク制御部
３４  記録媒体
３６  表示部
３８  電源管理部
４０  データバス
５０  リードイン領域
５２  リードアウト領域
５４  ＵＤＦ領域
５６  ＶＭＢ領域
５８  ＶＴＳＩ領域
６０  Ｒｚｏｎｅ１領域
６２  Ｒｚｏｎｅ２領域
６４  Ｉｎｖｉｓｉｂｌｅ  Ｒｚｏｎｅ領域
【図１】
2009238338.tif 000003
【図２】
2009238338.tif 000004
【図３】
2009238338.tif 000005
【図４】
2009238338.tif 000006
【図５】
2009238338.tif 000007
【図６】
2009238338.tif 000008
【図７】
2009238338.tif 000009